(57)【要約】【課題】廃棄処分による環境汚染を防ぎ、かつ歯磨き時の指圧を感じ易くすると共に口内への挿入に違和感を無くし、何処でも手軽に利用ができ、経済性に優れた使い捨て指歯ブラシの提供。【解決手段】ブラシ基部1が上部紙１ａと下部紙１ｂと固定片３，３を打ち抜き加工で一体形成されると共に、下部紙には自然環境下で分解が進行する繊維で織られたブラシ構造体２を貼り付ける。ブラシ基部は折り線１ｄ部分で折り畳んで重ね合わせ、固定片を指の上方に折り曲げ、両端を粘着面４で貼り合わせて固定する。これにより上部紙１ａと下部紙１ｂの重ね合わせによりブラシ基部が補強されブラッシング時の指圧に耐える。【選択図】図１
2005318911.tif 000002
【特許請求の範囲】
【請求項１】
中央を対称に同形の上部紙および下部紙とからなり、前記中央部分で折り畳んで重ね合わせたブラシ基部と、
自然環境下で分解が進行する繊維で織られ、前記下部紙の面に貼付けられたブラシ構造体と、
前記下部紙に設けられ、該下部紙に重ね合せた前記上部紙の面に添えた指先に前記ブラシ基部を固定する手段と、
を備えていることを特徴とする使い捨て指歯ブラシ。
【請求項２】
前記ブラシ基部が上質紙であることを特徴とする請求項１記載の指歯ブラシ。
【請求項３】
前記ブラシ構造体には予め歯磨き粉が塗布されていることを特徴とする請求項１または２記載の使い捨て指歯ブラシ。
【請求項４】
消毒済パックに収容されていることを特徴とする請求項１乃至３のいずれかの項記載の使い捨て指歯ブラシ。
【請求項５】
前記パックの中に香料が入っていることを特徴とする請求項４記載の使い捨て指歯ブラシ。
【発明の詳細な説明】
【技術分野】
【０００１】
本発明は、旅行や外食などに携行でき、または歯磨きができないか、あるいは困難な者に代わって保護者や介助者が使用することができる使い捨て指歯ブラシに関し、特に指に取り付けた状態で歯を磨くことができる安価かつ利便性に優れていると共に環境に優しい使い捨て指歯ブラシに関する。
【背景技術】
【０００２】
従来、使い捨て歯ブラシは様々なものが提案されている。この種の使い捨て歯ブラシは、ビニール袋の内部に一個ずつ包装されており、歯磨き粉は歯ブラシに予め塗布され、あるいは歯ブラシと共に包装されている。前者では歯ブラシを水に浸し、塗布された歯磨き粉を溶けやすくしてから歯磨きを行うが、後者では歯ブラシ上に歯磨き粉を載せてから歯磨きを行うことになる。
【０００３】
上記いずれの歯ブラシの構造は細長い把持部を有しており、バックなどへの収納がしにくく、また一回の使用で廃棄すると不経済であり、環境を汚染させるなどの問題もある。
【０００４】
また使い捨て歯ブラシには指に嵌めて使用するもの、あるいは指にテープやバンドで固定して使用するものなど多くのタイプが提案されている。このタイプの歯ブラシは、コンパクトに形成することができるとともに、複数個を包装し、1個ずつ取り出す形態にできるため、手軽に携行し、簡単に使用することができる。この種の歯ブラシは、例えば特許文献１〜特許文献４に開示されている。
【０００５】
【特許文献１】特開２００１−１９０３３２号公報
【特許文献２】特開２０００−１９７５２２号公報
【特許文献３】特開昭６３−５４１１０号公報
【特許文献３】特開昭５９−６４００９号公報
【発明の開示】
【発明が解決しようとする課題】
【０００６】
ところで、使い捨て指歯ブラシは廃棄した際に環境を汚染しないことが重要であり、また指に装着する際に簡単に固定できると共に円滑かつ効率よく歯磨きができることが望まれている。しかも、歯ブラシの機能について、従来のものは歯磨き時の指圧が感じ易くする工夫がなされていない。
【０００７】
本発明の目的は自然環境下で分解が進行する素材を使用して廃棄処分による環境汚染を防ぎ、かつ歯磨き時の指圧を感じ易くすると共に口内への挿入に違和感を無くし、何処でも手軽に利用ができ、経済性に優れた使い捨て指歯ブラシを提供することにある。
【課題を解決するための手段】
【０００８】
請求項１の発明に係る使い捨て指歯ブラシは中央を対称に同形の上部紙および下部紙とからなり、中央部分で折り畳んで重ね合わせたブラシ基部と、自然環境下で分解が進行する繊維で織られ、下部紙の面に貼付けられたブラシ構造体と、下部紙に設けられ、該下部紙に重ね合せた上部紙の面に添えた指先を前記ブラシ基部に固定する手段と、を備えていることを特徴とする。
【０００９】
請求項２の発明は、請求項１において、ブラシ基部が上質紙であることを特徴とする。
【００１０】
請求項３の発明は、請求項１または２において、ブラシ構造体には予め歯磨き粉が塗布されていることを特徴とする。
【００１１】
請求項４の発明は、請求項１乃至３のいずれかの項において、消毒済パックに収容されていることを特徴とする。
【００１２】
請求項５の発明は、請求項４において、パックの中に香料が入っていることを特徴とする。
【発明の効果】
【００１３】
請求項１の発明によれば、紙製のブラシ基部に自然環境下で分解が進行する繊維で織られたブラシ構造体を貼り付けた簡単な構造を採用しているため、使用時にブラシ基部の柔軟性によって指先にフィットし易くなると共に、口内での動きが円滑になって歯磨き効果と歯茎への指圧効果が得られる。またブラシ基部やブラシ構造体は使用後においても廃棄場所の環境下で分解が進行するので、やがて消滅し、環境を汚染させることがない。
【００１４】
請求項２の発明によれば、ブラシ基部を上質紙で作製することで、衛生処理が効率化でき、生産性の向上が図れる。
【００１５】
請求項３の発明によれば、歯磨き粉を用意する必要がないので、利便性の向上が図れる。
【００１６】
請求項４の発明によれば、使用前に外気に触れるなどによる汚染を防ぐことができるので、長期に亘って衛生的によい状態が保たれ、安心して使用できる。
【００１７】
請求項５の発明によれば、開封時には香料が発散して爽やかな気分になり、歯磨き効果を増大させる。
【発明を実施するための最良の形態】
【００１８】
本発明は上部紙と下部紙と固定片を打ち抜き加工で一体形成したブラシ基部と、自然環境下で分解が進行する繊維で織られたブラシ構造体とからなり、下部紙に上部紙を重ね合わせ、固定片で指に固定する構造により実現した。
【実施例１】
【００１９】
図１は、本発明が係る使い捨て指歯ブラシの斜視図である。ブラシ基部1は、例えば牛乳パックなどに使用されている上質紙を図示の十字形状に打ち抜き加工される。ブラシ基部1は中央の折り線１ｄを対称に同形の上部紙１ａと下部紙１ｂをへら状に形成されており、上部紙１ａを折り線１ｄ部分で図示矢印方向に折り畳んで重ね合わせる構造になっている。下部紙１ｂの左右側縁から指先固定手段を構成する固定片３，３が伸びている。上部紙１ａおよび下部紙１ｂは指先とほぼ同じ幅で形成されており、その両端部には細く絞られた形状の添え部１ｃが設けられている。上部紙１ａと下部紙１ｂを重ね合わせる構造を採ることによりブラシ基部１が補強されブラッシング時の指圧に耐える構造になっている。
【００２０】
下部紙１ｂの面には土壌、湖沼水、海水などの自然環境下でバクテリアなどの微生物によって分解が進行する繊維で織られたブラシ構造体２が接着剤により貼り付けられている。ブラシ構造体２は例えば植物繊維、動物繊維、プラスチック繊維などで形成されたブラシで構成される。図２は繊維ブラシの模式図を示すもので、縦糸２ａに繊維２ｃをＵ字形に引っ掛け、それを横糸２ｂで固定するように織り込み、最後にブラシの高さを揃えようにカットする。これをブラシ基部１の所定位置に貼り付けるため、縦糸２ａと横糸２ｂで織られた部分を適宜の大きさに裁断する。好ましくは、ブラシ構造体２の少なくとも繊維２ｃで形成されたブラシ部に予め歯磨き粉が塗布されている。
【００２１】
一方の固定片３の端面には、粘着剤が塗布されており、その粘着面４に剥離紙５（図中２点破線）が貼られている。使用時には剥離紙５を剥がし、図３に示す方向に折り曲げ、同様に他方の固定片３も折り曲げ、図４に示すように両端面を重ねて粘着面４で貼り付ける。
【００２２】
図５は指歯ブラシの包装状態を示す斜視図である。包装体２０は指歯ブラシ１０が清潔に携帯できるよう消毒された状態で個別に包装袋６に密封状態で収容されている。使用時には包装袋６を開封し、指歯ブラシ１０を取り出す。このとき各包装袋のなかに清涼感のある香料を含ませることにより、ブラッシングがより快適なものになる。
【００２３】
本例では１個の指歯ブラシの包装体で説明したが、連続した包装体として形成し、それぞれの包装体の間にミシン目を入れ、使用時にミシン目で切り離すよう構成することもできる。包装体は帯状に形成されたもの、或いは縦横に配置されたシート状に形成されたもので提供される。これにより生産性が向上されるとともに、折り畳み収納が可能となるため、コンパクト化が図れる。
【００２４】
次に本実施例の作用を説明する。包装体２０を開封して指歯ブラシ１０を取り出す。上部紙１ａに指先を添え、剥離紙を取り去り、固定片３，３を指の上方に折り曲げ、両端を粘着面で貼り合わせて固定する。図６の状態に指歯ブラシ１０を指先に装着した後、口内のブラッシングが行われる。
【００２５】
指先固定手段は、ブラシ基部１に固定片３，３を一体形成するものに限定されるものでなく、他の具体例として、伸縮自在なゴムなどの弾性材をリング状に形成したバンド、あるいは紙や布を用いて細い幅の帯状体に形成し、この帯状体を下部紙の左右縁部に取着し、他端側に設けた接着面を指の外側で互いに接着させて固定するもの、など適宜選択可能である。
【図面の簡単な説明】
【００２６】
【図１】本発明が係る使い捨て指歯ブラシの外観を示す斜視図である。
【図２】ブラシ構造体を構成する繊維ブラシの模式図である。
【図３】固定片の折り曲げ方向を示す図である。
【図４】固定片の両端面を貼り付けた状態を示す図である。
【図５】包装体の斜視図である。
【図６】指歯ブラシの指先への装着状態を示す図である。
【符号の説明】
【００２７】
１    ブラシ基部
２    ブラシ構造体
３    固定片（指先固定手段）
４    粘着面
６    包装袋
１０  指歯ブラシ
２０  包装体
【図１】
2005318911.tif 000003
【図２】
2005318911.tif 000004
【図３】
2005318911.tif 000005
【図４】
2005318911.tif 000006
【図５】
2005318911.tif 000007
【図６】
2005318911.tif 000008